(57)【特許請求の範囲】
【請求項１】
外殻の一部を構成し正面に開口し手を挿抜可能な処理空間としての手挿入部を備えたケーシングと、前記手挿入部の上部に設けられ左右方向にライン状の高速空気流を下方に向って噴出するノズルと、前記手挿入部の下部に設けられ正面と両側面が開放した凹状の水受け部と、前記水受け部の底面の正面側の端縁部に設けられた立ち上がりによる正面側防壁構造と、前記水受け部の底面の左右の側面側の端縁部に設けられた立ち上がりによる側面側防壁構造とを備え、前記ノズルの噴出方向の延長線が前記水受け部の底面と交差し、前記側面側防壁構造の先端の側面側先端曲がり部の曲率半径より前記正面側防壁構造の先端の正面側先端曲がり部の曲率半径の方が大きいとともに、前記水受け部の底面は左右方向において中央側から左右方向に下り傾斜していることを特徴とする手乾燥装置。
【請求項２】
前記水受け部の底面は、奥側から正面側の方向にも下り傾斜し、前記側面側防壁構造の正面側の端付近の前記水受け部の底面の最下点に排水口が設けられていることを特徴とする請求項１に記載の手乾燥装置。
【請求項３】
前記ノズルの噴出方向の延長線が前記水受け部の底面と交差する位置が、前記水受け部の前後方向において中央より正面側であることを特徴とする請求項１または請求項２のいずれかに記載の手乾燥装置。
【請求項４】
前記正面側防壁構造は正面側根元曲がり部と前記正面側先端曲がり部とが繋がって設けられ、前記正面側根元曲がり部の曲率半径より前記正面側先端曲がり部の曲率半径の方が大きいことを特徴とする請求項１〜請求項３のいずれかに記載の手乾燥装置。
【発明の詳細な説明】
【技術分野】
【０００１】
本発明は、洗浄後の濡れた手を乾燥させるための手乾燥装置に関するものである。
【背景技術】
【０００２】
従来より、ノズルから下方に吹き出す高速空気流を洗浄後の濡れた手に当てて手に付着している水分を吹き飛ばすことで手を乾燥させ、手から除去されて飛んだ水滴を回収する水受けを有する手乾燥装置が知られている。
【０００３】
その従来の手乾燥装置では、乾燥処理空間である手挿入部内の使用者の手の有無をセンサーで検知し、手を検知するとノズルから高速空気流を噴出させて手を乾燥させる。また指先まで十分に乾燥させるために手挿入部から完全に手が抜かれてからのずるからの高速空気流の噴出を停止させるようにセンサーが手を検知しなくなってから若干の遅延時間をもたせて高速空気流の停止を行っている。また高速空気流はモーターで羽根を高速回転させることで作り出されているが、モーターへの通電を停止させても羽根やモーターの慣性で高速空気の噴出がなくなるまでには若干の時間差が生じる。そのため使用者が手の乾燥を終えて手挿入部から手を引き抜いた直後は、ノズルからの高速空気流の噴出が継続しておりその高速空気流が風速減衰をせずに直接水受けに吹き付けるため、水受けに付着していた水滴が飛散するとう課題があり、従来から対策が行われてきた。
【０００４】
例えば、特開平１１−１１３７９２号公報では、処理空間の底面を前方へ張出させた水受け部の上面の外周に上面よりせり出した内向きの上り勾配を持つ水跳ね防止用の辺縁部を設けた手乾燥装置が開示されている。また、特開２０００−５０９６号公報では、手挿入部の下方に配設して手からの水滴等を受ける水受部の底壁面外周縁部に飛散防止用の溝を設けた手乾燥装置が開示されている。また、特開平１１−１７８７４２号公報では、吹出ノズルの下方に乾燥空間を介して吹出ノズルからの風を前端近傍で受ける風受け面を上面に有した顎部を備え、乾燥空間は側面視で略Ｃ形状を成した風旋回面で形成された手乾燥装置が開示されている。
【先行技術文献】
【特許文献】
【０００５】
【特許文献１】特開平１１−１１３７９２号公報（請求項１、図２）
【特許文献２】特開２０００−５０９６号公報（請求項２、図１）
【特許文献３】特開平１１−１７８７４２号公報（請求項２、図１）
【発明の概要】
【発明が解決しようとする課題】
【０００６】
しかしながら特許文献１の手乾燥装置では、辺縁部が内向きに設けられているので、水受け部の水は辺縁部を乗り越え難く水受け部の外への水滴飛散の防止性は高いが、辺縁部で水受け部から外に流れる高速空気流の流れも塞き止めてしまうため、辺縁部で気流の渦が発生し、騒音が悪化するという問題があった。
【０００７】
また特許文献２の手乾燥装置では、水受部に付着した水滴は溝の中に入り込むため、水受部の外への水滴飛散を防止することができるが、溝の容積以上に水滴が集ると溝の効果が無くなって水受部の外に水滴が飛散してしまうという問題があった。また、溝を深くしてしまうと手から飛んだ水滴に含まれる脂成分などの汚れが溝内に堆積したとき簡単に拭き清掃できず衛生性が損なわれるという問題もあった。また、溝とノズルからの高速空気流の水受け衝突位置が近い場合、溝に溜まった水滴にノズルからの高速空気流が風速減衰をせずに直接当りやすくなるため溝内の水滴が飛散してしまうという問題もあった。またその飛散を回避するためにはノズルからの高速空気流が直接溝の水滴に当らないように水受けを手乾燥装置の前後方向の前側へ延ばす必要がり手乾燥装置のサイズが大きくなってしまい狭いトイレでの設置性が悪くなるという問題があった。
【０００８】
また特許文献３の手乾燥装置では、ノズルから吹き出した高圧気流の大部分を手乾燥室内で旋回させ、外部に高圧気流が使用者側に流れないようにしているが、水受け面の水滴飛散を防止するためにはノズル噴流が水受け面から漏れ出さないようにするように顎部を深くする必要があり、手を挿入する開口部が小さくなってしまい手を挿入するときに圧迫感を感じるという問題、もしくは手を挿入する開口部を大きくすると手乾燥装置のサイズが大きくなってしまい狭いトイレでの設置性が悪くなるという問題があった。
【０００９】
本発明は、上記課題を解決するためになされたもので、騒音を悪化させずに水受け部の水滴が水受け部から外に飛散することを防止できる手乾燥装置を得るものである。
【００１０】
また、コンパクトで設置性のよい手乾燥装置を得るものである。
【課題を解決するための手段】
【００１１】
この発明に係る手乾燥装置においては、外殻の一部を構成し正面に開口し手を挿抜可能な処理空間としての手挿入部を備えたケーシングと、手挿入部の上部に設けられ左右方向にライン状の高速空気流を下方に向って噴出するノズルと、手挿入部の下部に設けられ正面と両側面が開放した凹状の水受け部と、水受け部の底面の正面側の端縁部に設けられた立ち上がりによる正面側防壁構造と、水受け部の底面の左右の側面側の端縁部に設けられた立ち上がりによる側面側防壁構造とを備え、前記ノズルの噴出方向の延長線が前記水受け部の底面と交差し、側面側防壁構造の先端の側面側先端曲がり部の曲率半径より正面側防壁構造の先端の正面側先端曲がり部の曲率半径の方が大きいとともに、水受け部の底面は左右方向において中央側から左右方向に下り傾斜して構成されているものである。
【発明の効果】
【００１２】
騒音を悪化させずに水受け部の水滴が水受け部から外に飛散することを防止できる手乾燥装置を得ることができる。
【図面の簡単な説明】
【００１３】
【図１】この発明の実施の形態１に係る手乾燥装置の外観を示す斜視図である。
【図２】この発明の実施の形態１に係る手乾燥装置の側面断面図である。
【図３】この発明の実施の形態１に係る手乾燥装置の平面断面図である。
【図４】この発明の実施の形態１に係る手乾燥装置で、図１中のＡ−Ａ断面図である。
【図５】この発明の実施の形態１に係る手乾燥装置で、図１中のＢ−Ｂ断面図である。
【図６】この発明の実施の形態１に係る手乾燥装置で、別の実施例を示す図１中のＡ−Ａ断面図である。
【発明を実施するための形態】
【００１４】
実施の形態１．
図１は本発明の実施の形態１に係る手乾燥装置の外観を示す斜視図、図２は側面断面図である。図１〜図２に示すように、手乾燥装置の外殻をなすケーシング１は、正面に手挿入口２を有し、手挿入口２に続く処理空間として手挿入部３を備えており、手を挿抜できるようにしてある。手挿入部３は、ケーシング１の正面下部に、正面と両側面が開放した開放シンク状の凹部として形成され、下部を形成する水受け部４の正面側にはその端縁部に曲面構成の立ち上がりによる正面側防壁構造５０が設けられ、水受け部４の左右の側面側と奥側とにはその端縁部に曲面構成の立ち上がりによる側面側防壁構造５１が設けられ、前方や側方に水が飛散しないようになっている。水受け部４の底面は、左右の側面側が低く中央が高い山状の傾斜があるとともに、全体に奥側から正面側に向かって低くなるように傾斜が設けられ、最下位置である左右の側面側壁面構造５１の正面側の端付近に排水口６が左右にそれぞれ設けられている。水受け部４の下方には排水口６から滴下する水を貯留するドレン容器７が抜き差し自在に設けられている。
【００１５】
なお、手挿入部３の内面には、シリコン系もしくはフッ素系等の撥水性コーティング、酸化チタン等の親水性を有するコーティング、又は抗菌剤が含浸され、内面の汚れ付着軽減や、細菌の繁殖を低減させている。手挿入部３の上部には、手挿入部３に向かって下方に高速空気を噴出するノズル１２が設けられ、ノズル１２より奥側の近傍には手挿入部３の中の手の有無を検知する手検知センサー１４が設けられている。ノズル１２は、手乾燥装置の正面から見て左右方向に向かってライン状にスリット形状の吹き出し口が設けられ、ノズル１２によって手乾燥装置の正面から見て左右方向にライン状に延びる高速空気流のエアーカーテンが形成される。
【００１６】
手挿入部３の上方でケーシング１と背面側の手乾燥装置の外殻をなすベース８とで構成された箱体状の空間内には、ＤＣブラシレスモーター（ 整流子モーター又は誘導電動機でもよい） とＤＣブラシレスモーターによって回転するターボファンとにより構成された高圧空気流発生装置９と、高圧空気流発生装置９の吸気側と手挿入部３より上方でケーシング１の正面に設けられた内部吸気口１０を連通する内部吸気通路１１と、高圧空流発生装置９の排気側とノズル１２とを連通する排気通路１３と、手検知センサー１４の手の検知に応じて高圧空気流発生装置９を運転させる制御回路（図示せず）が組み込まれている。排気通路１３の途中でノズル１２より上流側近傍には高圧空気流発生装置９から送られてくる空気を加熱して温風化させるヒーター１５が設けられている。手挿入部３の上部でケーシング１の正面の外側には、手乾燥装置の外殻をなし、左側の端がケーシング１に回転可能に支持されて手乾燥装置の正面側に開閉自在で、かつケーシング１から着脱することもできるカバー１６が取り付けられている。
【００１７】
図３は本発明の実施の形態１に係る手乾燥装置の平面断面図である。図３に示すように、ケーシング１の左右の側面の一部を背面側から前面側に向かって前面側が左右方向において中央側になるように傾斜部１７ａを設け、ケーシング１の正面と側面との稜線の一部および側面の一部が凹む凹部１７を設けている。カバー１６を閉じた状態では、カバー１６の外周は、凹部１７以外はケーシング１に当接し、凹部１７にはカバー１６と当接せずに形成された外部に向かって開口する外部吸気口１８がカバー１６とケーシング１によって、カバー１６とケーシング１に跨って構成されている。尚、外部吸気口１８と手挿入部３との前後方向の相対位置は、手挿入部３の前後方向の中心位置より正面側で手挿入部３の正面側の手挿入口２とほぼ同じ位置に設けられている。
【００１８】
カバー１６の外周より内側には、内部吸気口１０と外部吸気口１８を連通する外部吸気通路１９が、カバー１６とケーシング１により構成されている。
【００１９】
図４は、図１おける正面側防壁構造５０のＡ−Ａ断面による断面図である。また、図５は図１おける側面側防壁構造５１のＢ−Ｂ断面による断面図である。図４に示すように手乾燥装置の正面側防壁構造５０は、水受け部４の正面側の端縁部に水受け部４から正面側根元曲がり部５０ａと正面側先端曲がり部５０ｃと正面側先端部５０ｄが連続して繋がった曲面構成の立ち上がり形状になっている。更に、正面側先端曲がり部５０ｃの曲率半径は正面側根元曲がり部５０ａの曲率半径よりも大きい。本実施の形態１では正面側根元曲がり部５０ａと正面側先端曲がり部５０ｃを繋げた形状を示したが、図６に示すように正面側根元曲がり部５０ａと正面側先端曲がり部５０ｃの間に直線形状または曲面で構成された正面側中間部５０ｂを設けてもよい。
【００２０】
また、図５に示すように手乾燥装置の左右の側面側防壁構造５１は、水受け部４の側面側の端縁部に水受け部４から側面側根元曲がり部５１ａと側面側中間部５１ｂと側面側先端曲がり部５１ｃと側面側先端部５１ｄが連続して繋がった曲面構成の立ち上がり形状になっている。側面側先端曲がり部５１ｃの曲率半径は側面側根元曲がり部５１ａの曲率半径よりも小さく、更に側面側先端曲がり部５１ｃの曲率半径は水受け部４の正面側先端曲がり部５０ｃの曲率半径よりも小さい。
【００２１】
また、正面側先端曲がり部５０ｃ、側面側先端曲がり部５１ｃ、正面側先端部５０ｄ、側面側先端部５１ｄにディンプル構造やシボ加工を施して抗力係数を小さくしてもよい。
【００２２】
次に手を乾燥させる使用時の動作について説明する。カバー１６を開き、電源スイッチ２１ａを入り（ＯＮ）にすると、制御回路（図示せず）に通電されカバー１６を閉じて使用可能状態となる。そして、使用者が濡れた手を手挿入口２から手挿入部３ 内に手首付近まで入れると、手検知センサー１４ によって手の挿入が検知され、制御回路（図示せず）の処理により高圧空気流発生装置９が作動する。高圧空気流発生装置９が作動すると、手乾燥装置の外の空気がケーシング１に設けられた傾斜部１７ａに沿って背面側から正面側に向かって流れて外部吸気口１８から吸い込まれる。外部吸気口１８から吸い込まれた空気は、外部吸気風路１９を通りフィルター２０で塵埃が除去されて内部吸気口１０に吸い込まれる。
【００２３】
内部吸気口１０に吸い込まれた空気は、内部吸気風路１１を通って、内部吸気口１０の位置より一旦上がり、高圧空気流発生装置９の上方を通って背面側に向かい、下方に移動して高圧空気流発生装置９の吸込側から吸い込まれる。高圧空気発生装置９は吸気側から吸い込んだ空気を排気側から高圧空気に変換して排気し、排気された高圧空気は排気風路１３を通りノズル１２ から高い運動エネルギーを持つ高速空気流に変換され手挿入部３内に下方に向かって噴出される。ノズル１２から噴出された高速空気流は、手挿入部３に挿入されている濡れた手に当り、手に付着した水分を手の表面から剥離して吹き飛ばして手を乾燥させることができる。さらに、手挿入部３ 内で手を移動させることによって、手全体に付着していた水滴がすべて排除され、手が乾燥処理される。尚、切替スイッチ２１ｂでヒータスイッチを入り（ＯＮ）にしている場合には、ヒーター１５が通電され排気風路１３を通る高圧空気が加熱されるため、ノズル１２からは温風が吹き出され冬場などにおいても使用感がよい。手の乾燥処理終了後、手を手挿入部３ から抜き出すと、手が抜かれたことを手検知センサー１４ が検知し、高圧空気流発生装置９への通電が停止され、ノズル１２からの高速空気流の噴出も停止される。そして、手から吹き飛ばされた水滴は、前傾構造の水受け部４において排水口６に向かって流下し、排水口６ からドレン容器７ に収容される。
【００２４】
次に水受け部４の水滴の挙動について説明する。手挿入部３に挿入された濡れた手を検知してノズル１２から高速空気流が噴出されると、高速空気流で手に付着した水分が手の表面から剥離し水滴として吹き飛ばされ、ノズル１２の直下を中心に水受け部４の様々な位置に水滴が付着する。水受け部４に付着した水滴の中で水滴径が大きいものは自重により水受け部４内を下方に流れ排水口６を通過してドレン容器７に回収される。水滴径が小さいものは自重の力よりも水受け部４との表面張力の方が大きいため下方へ流れることなく留まる。使用者が手を乾燥させている間はノズル１２から噴出される高速空気流が手に当っているため、水受け部４に直接到達する高速空気流は少なく、大部分は到達する前に手への衝突で大幅に運動エネルギーを失っているので、自重で流れ出す水滴は高速空気流の影響をあまり受けずに水受け部４の底面の傾斜を下り排水口６へ流れることができる。
【００２５】
次に使用者が乾燥を終えて手を手挿入部３から引き抜くとセンサー１４が手なしを検知する。使用者の使い勝手を向上させるためにセンサー１４が手なしを検知してから手が完全に手挿入部３から抜けるまで時間としての１秒程度の遅延時間が設けられ、遅延時間経過後に高圧気流発生装置９への通電を停止させるが、通電を停止させても高圧気流発生装置９は慣性で回転し続けるため、手挿入部３に手がなくなってから高圧気流発生装置９が停止するまでの間はノズル１２からの高速空気流が直接水受け部４に衝突することになる。ノズル１２から噴出される高速空気流は手乾燥装置の正面から見て左右方向にライン状に延びるエアーカーテン状で、その高速空気流が直接水受け部４に衝突すると、ライン状の方向と垂直な方向、つまり製品の前後方向である正面方向（前方向）および背面方向（奥方向）へ概ね分流する。背面方向へ流れた空気流は水受け部４の奥へ到達し、水受け部４の奥部に沿って上方へ流れ手挿入部３の上部でケーシング１に沿って前方側へ曲がり、新たにノズル１２から吹き出されている高速空気流と合流して再び下方に流れて旋回する。一方、正面方向に流れた空気流は正面側防壁構造５０を乗り越えて手挿入部３の外へ排出される。
【００２６】
そのため、表面張力などで流れずに水受け部４に留まっている水滴の挙動は、使用者が乾燥を終えて手を手挿入部３から引き抜いた後のノズル１２からの高速空気流の水受け部４への衝突位置との関係により異なる。つまり、ノズル１２からの高速空気流の水受け部４への衝突位置より背面側に留まっている水滴は、背面方向へ流れる空気流により水受け部４の奥へ傾斜を上りながら左右方向の傾斜に沿って左右に分かれて流される。流された水滴は個々の小さな水滴が合わさって径が大きい水滴の塊となり、水受け部４の左右の側面側防壁構造５１の背面側の端付近で自重の力と空気流による力のバランスが取れて留まっている。ノズル１２からの高速空気流の噴出が停止すると、側面側防壁構造５１の背面側の端付近で留まっていた水滴の塊は、自重により水受け部４の左右の端の傾斜の谷部分、つまり側面側防壁構造５１の根元付近を通って前方へ傾斜に沿って流れ、排水口６からドレン容器７に回収される。一方、ノズル１２からの高速空気流の水受け部４への衝突位置より正面側に留まっている水滴は、正面方向に流れる空気流により正面側へ流されながら左右方向の傾斜に沿って左右に分かれて流される。左右方向に流された水滴の大部分は排水口６の位置に流されてドンン容器７に収容される。排水口６の位置まで流されなかった少量の水滴のみが正面側防壁構造５０へ流される。
【００２７】
ノズル１２からの高速空気流の水受け部４への衝突位置が水受け４の底面の前後方向の中央位置より正面側なので、正面方向へ流れる空気流で集められる水滴の総量が少ないとともに、正面方向へ水滴が流される過程で左右方向に流され、大部分の水滴が排水口６からドレン容器７へ排出されるので、正面側防壁構造５０へ流される水滴は、ごく少量で大きな径の水滴に成長することなく小さい径の水滴のままである。そのため水滴の抵抗係数が小さく正面方向へ流れる空気流から受ける力が小さいので、正面側先端曲がり部５０ｃの曲率半径が大きく正面側防壁構造５０の立ち上がり形状が緩やかであっても自重の力と空気流による力のバランスで正面側防壁構造５０を乗り越えることがなく、空気流だけが曲率半径の大きい正面側先端曲がり部５０ｃをスムーズに流れて乗り越え、手挿入部３から手乾燥装置の外へ流れて排出される。ノズル１２からの高速空気流の噴出が停止すると、水滴は自重により左右の傾斜に沿って下方の水受け部４の左右の端にある排水口６に向かって流れドレン容器７に回収される。
【００２８】
次に連続して手乾燥装置が使用された場合の水滴の挙動について説明する。最初の使用者が手を乾燥させたときの水滴の挙動は前述の通りであり、また、ノズル１２からの高速空気流の噴出が停止した後、水受け部４の水滴が自重で排水口６まで流れてしまってから次の使用者が使用する場合も前述どおりであるが、ノズル１２からの高速空気流の噴出停止後に水受け部４の水滴が自重で排水口６まで流れきってしまう前に次に使用者が続けて使用する場合の水滴の挙動について説明する。最初の人が乾燥を終了させて手挿入部３から手を抜いたあとに背面方向へ流れる空気流により生成された水受け部４の左右の側面側防壁構造５１の背面側の端付近で留まっている大きな水滴の塊は、ノズル１２からの高速空気流の噴出の停止で自重により水受け部４の側面側防壁構造５１の根元付近を通って排水口６に向かって流れるが、大きな水滴の塊が排水口６に到達する前に次の使用者が手乾燥をするために手挿入部に濡れた手を挿入すると、挿入された手の位置によってはノズル１２から噴出される高速空気の左右の端部分の高速空気が挿入された手に当らずに直接水受け部４に到達することがあるため、その場合、大きな水滴の塊はその位置によって正面側方向または背面側方向のどちらかに水滴が移動する。正面側方向に移動すれば側面側防壁構造５１の根元付近を通って排水口６からドレン容器に収容される。一方背面側方向に移動すれば側面側防壁構造５１の根元付近を通って背面側に向って傾斜を上り、側面側防壁構造５１の背面側の端付近で留まる。
【００２９】
そして、手の乾燥が終了し手挿入部３から手が引き抜かれると、ノズル１２の高速空気流の噴出が停止するまでノズル１２からの高速空気流が水受け部４に直接あたり背面方向へ流れる空気流によって水受け部４に付着していた水滴から生成された新たな水滴の塊と留まっていた最初の水滴の塊が合わさり、更に大きな水の塊が生成される。ノズル１２から水受け部４に直接衝突したライン状の高速空気流は前述のとおり、ライン状の方向と垂直方向である水受け部４の前後方向（正面方向および背面方向）に概ね分かれて流れるが、水受け部の左右方向つまりライン状の方向に流れる空気流も、前後方向への空気流と比べれば弱く風量も少ないが存在する。左右方向の空気流は弱く風量も少ないので１人の使用者から生成される水滴の塊では抵抗係数が小さく防壁構造５１を乗り越えるほどの力を受けることがなくても、連続して多人数が使用すると水滴の塊が大きくなり抵抗係数も大きくなって弱い左右方向の空気流でも防壁構造５１を乗り越えてしまう可能性も考えられる。しかし、側面側防壁構造５１の側面側先端曲げ部５１ｃは正面側防壁構造５０の正面側先端曲げ部５０ｃより小さな曲率半径にしているので、側面側防壁構造５１の立ち上がり形状は急傾斜であり水滴を堰き止め水滴の移動を阻止する能力が正面側防壁構造５０よりも高く、数人分の水滴で合成された非常に大きな水滴の塊でも手挿入部３から外に飛び出すことがない。また、左右方向の空気流は前後方向への空気流よりも流量が少なく弱いため、側面側防壁構造５１の側面側先端曲げ部５１ｃは正面側防壁構造５０の正面側先端曲げ部５０ｃより小さな曲率半径にしても乱流の発生が少なく騒音が悪化もほとんどない。
【００３０】
以上の構成によれば、手挿入部３の上部に設けられ下方に向って左右方向にライン状に延びた高速空気流を噴出するノズル１２と、水受け部４の端縁部に設けられた側面側防壁構造５１の側面側先端側曲がり部５１ｃの曲率半径より正面側防壁構造５０の正面側先端側曲がり部５０ｃの曲率半径の方が大きいとともに、水受け部４の底面は、左右方向において中央側から左右方向に下り傾斜しているので、ノズル１２から噴出され直接水受け部４に当るライン状の高速空気流によって生成されるライン状の方向に対して垂直方向である前後方向（正面方向および背面方向）に概ね２分された空気流によって、水受け部４の水滴が前後方向に流される過程で大部分の水滴は左右方向の傾斜によって側面側防壁構造５１へ流される。
【００３１】
つまり水受け部４の底面を正面方向へ流れる空気流によって、水受け部４の底面の水滴は正面側防壁構造５０へ移動する途中で左右方向へ流され、大部分の水滴は側面側防壁構造５１側へ流されて排水口６へ流される。そのため、正面側防壁構造５０へ到達する水滴の量は少なく、水滴の径が大きく成長せず小さいままなので水滴の抵抗係数が小さいため、正面側防壁構造５０の正面側先端曲がり部５０ｃの曲率半径を大きくしても水滴を堰き止めて水滴が水受け部４から外に飛び出すことを防止できるとともに、正面方向へ流れる空気流をスムーズに水受け部４から正面側先端曲がり部５０ｃを経由して手挿入部３の外に排出することができ、正面側先端曲がり部５０ｃによる乱流の発生を抑え乱流に起因する騒音の発生も低減させることができる。
【００３２】
また、水受け部４の底面を背面方向へ流れる空気流によって、水受け部４の底面の水滴は水受け部４の奥へ移動する途中で左右方向の傾斜によって側面側防壁構造５１へ流され、空気流のみが奥の水受け部４に沿って上昇しノズル１２から吹き出される新たな高速空気流と合流して旋回するので、スムーズな空気の流れになり乱れによる部分的な渦の発生がなく渦に起因する騒音の増加がない。
【００３３】
また、側面側防壁構造５１の側面側先端曲がり部５１ｃの曲率半径は、正面側防壁構造５０の正面側先端曲がり部５０ｃの曲率半径より小さいので、側面側防壁構造５１に水滴が集って水滴の径が大きくなっても、更には自重で流れる水受け部４の水滴が排水口６へ流れきってしまう前に次の使用者が使用するなど連続使用されて水滴の塊が更に大きくなっても、正面側防壁構造５０より水滴の堰止め能力が高いので水滴が水受け部４から外に飛び出すことがない。また、ノズル１２からの高速空気流が直接水受け部４に当って生成される水受け部４の底面に流れる空気流の中で、左右方向への空気流は前後方向（正面方向および背面方向）への空気流に比べ非常に弱く風量も少ないので、側面側先端曲がり部５１ｃの曲率半径が小さくても乱流の発生が少なく、乱流に起因する騒音の発生もほとんどない。
【００３４】
従って、大部分の空気流を前後方向（正面方向および背面方向）に流しながら水滴は左右方向に集め、空気流が流れる正面側防壁構造５０は立ち上がり形状を緩やかにして空気がスムーズに流れて排出される形状とし、水滴が集る側面側防壁構造５１は立ち上がりの形状を急勾配にしたり立ち上がりの急勾配の部分を長くし水滴の堰止め能力を向上させることで、水受け部４を大きくすることなく効果的に騒音を悪化させずに水受け部４から外へ水滴が飛散することを防止でき、コンパクトで設置性のよい手乾燥装置を得ることができる。また、水受け部４の底面に凹凸がないので、底面に付着した汚れも簡単に拭き掃除でき清掃性のよい衛生的な手乾燥装置を得ることができる。
【００３５】
また、水受け部４の底面は、奥側から正面側の方向にも下り傾斜し、側面側障壁構造５１の正面側の端付近が最下点で排水口１６が設けられているので、手挿入部３の形状が開口側である手挿入口２のある正面側の方が広くなる形状になるため、手挿入部３の開口部を大きくすることができ手乾燥装置を大きくしなくても圧迫感のない使用勝手のよいコンパクトな手乾燥装置を得ることができるとともに、水受け部４で受けた水滴の大部分の水滴を側面側障壁構造５１の根元付近に沿って流しながら排水口６へ導くことができるので、排水口６までの排水経路が水滴の堰止め能力の高い側面側防壁構造５１の根元に沿っているので、水受け部４から外への水滴の飛散防止をより確実に実施することができる。
【００３６】
また、ノズル１２の高速空気流の噴出方向の延長線が水受け部４の底面と交差する位置が、水受け部４の前後方向において中央より正面側であるので、水受け部４にある水滴の内、正面方向へ流れる空気流によって流されて集められる水滴の総量を少なくし、背面方向へ流れる空気流によって流されて集められる水滴の総量を多くすることで、正面側防壁構造５０に流される水滴の量をより少なくし側面側防壁構造５１へ流れる水滴に量をより多くすることで、水受け部４から外への水滴の飛散防止をより確実に実施することができる。
【００３７】
また、正面側防壁構造５０は正面側根元側曲がり部５０ａと正面側先端側曲がり部５０ｃが繋がって設けられ、正面側根元曲がり部５０ａの曲率半径より正面側先端曲がり部５０ｃの曲率半径の方が大きいので、正面側防壁構造５０の立ち上がり形状の高さの範囲内においては、正面側根元曲がり部５０ａの曲率半径と正面側先端曲がり部５０ｃの曲率半径の配分を、正面側根元曲がり部５０ａより正面側先端曲がり部５０ｃの曲率半径を大きくすることで、正面側防壁構造５０に要求される水滴の堰止め能力と空気のスムーズな排出という相反する能力を最適にすることができる。つまり、小さな曲率半径の正面側根元曲がり部５０ａでも水滴径は小さいので手挿入部３の外に水滴が流れないように堰き止めて水受け部４から外への水滴の飛散防止でき、正面側先端曲がり部５０ｃの曲率半径が大きいので正面側先端曲がり部５０ｃから外に流れ出る空気の流れがスムーズで乱流の発生が少なく、乱流により騒音の発生も抑えて空気流だけを外に排出することができる。
【符号の説明】
【００３８】
１  ケーシング
２  手挿入口
３  手挿入部
４  水受け部
６  排水口
７  ドレン容器
８  ベース
９  高圧空気流発生装置
１０  内部吸気口
１１  内部吸気通路
１２  ノズル
１３  排気通路
１４  手検知センサー
１５  ヒーター
１６  カバー
１７  凹部
１７ａ  傾斜部
１８  外部吸気口
１９  外部吸気通路
２０  フィルター
２１  操作スイッチ
２１ａ  電源スイッチ
２１ｂ  切替スイッチ
５０  正面側防壁構造
５０ａ  正面側根元曲がり部
５０ｂ  正面側中間部
５０ｃ  正面側先端曲がり部
５０ｄ  正面側先端部
５１  側面側防壁構造
５１ａ  側面側根元曲がり部
５１ｂ  側面側中間部
５１ｃ  側面側先端曲がり部
５１ｄ  側面側先端部
【図１】
0005780032.tif 000002
【図２】
0005780032.tif 000003
【図３】
0005780032.tif 000004
【図４】
0005780032.tif 000005
【図５】
0005780032.tif 000006
【図６】
0005780032.tif 000007